(57)【要約】【課題】刃部が開いた状態に復帰するように、ばねで把杆が回動付勢された手動切断工具において、把杆の握持を止めた際、復帰する刃部の開き寸法が、作業に応じた寸法となるように容易に調節できるようにする。【解決手段】先端に刃部１ａ．２ａが設けられた一対の把杆１，２を、前記刃部１ａ．２ａが開閉されるように枢支点３において連結し、両把杆１，２間に刃部１ａ．２ａが開放される方向に付勢するばね６を設けた、そして、この枢支点３の近傍に、一端が一方の把杆２に固定され、他端が他方の把杆１を貫通するようにねじ軸４を設け、このねじ軸４の把杆１を貫通した個所にナット５を取り付けた。そして、このナット５をねじ軸４に沿って移動させることにより、把杆１，２の開き寸法を変え、このことで、刃部１ａ，２ａの開き寸法の調節が行えるようにした。【選択図】　図１
0003098769.tif 000002
【実用新案登録請求の範囲】
【請求項１】
先端に刃部が設けられた一対の把杆を前記刃部が開閉されるように枢着し、両把杆間に刃部が開放される方向に付勢するばねを介在させた手動切断工具において、
上記両把杆の枢支点の近傍に、一端が一方の把杆に固定され、他端が他方の把杆を貫通したねじ軸が設けられ、該ねじ軸の把杆を貫通した個所に螺合したナットで把杆の戻り位置が規制され、もって、刃部の開き寸法の調整がなされるようにしたことを特徴とする手動切断工具。
【請求項２】
先端に刃部が設けられた一対の把杆を前記刃部が開閉されるように枢着し、両把杆間に刃部が開放される方向に付勢するコイルばねを介在させた手動切断工具において、
上記コイルばねの中心を貫通するように、一端が一方の把杆に固定され、他端が他方の把杆を貫通したねじ軸が設けられ、該ねじ軸の把杆を貫通した個所に螺合したナットで把杆の戻り位置が規制され、もって、刃部の開き寸法の調整がなされるようにしたことを特徴とする手動切断工具。
【考案の詳細な説明】
【０００１】
【考案の属する技術分野】
本考案は、先端に刃部が設けられた一対の把杆を前記刃部が開閉されるように枢着してなるペンチやワイヤークリッパー、あるいはニッパなどの手動切断工具に関する。
【０００２】
【従来の技術】
一般にこの種の手動切断工具は、図２乃至図４に示すように、先端に刃部１ａ，２ａが設けられた一対の把杆１，２が、枢支点３を中心に回動し得るように、Ｘ字形に連結されており、使用後、刃部１ａ，２ａが開放された状態に復帰するように両把杆１，２間には、ばね６が設けられている。したがって、使用後、一々、把杆１，２を開く必要がなく、作業が連続して能率的に行える。
【０００３】
しかしながら切断する対象物は、その形状や大きさが多様であり、そのため把杆１，２が常に大きく開いた状態に復帰すると、細線の切断のように細かい作業を連続して行う際、無駄な動きが多く、必ずしも能率的に作業が行えず、また、作業者の負担も大きいという問題点があった。
【０００４】
そこで、従来は、図２に示すように一方の把杆１の外側に、他方の把杆２の刃部２ａの後側（図２において右側）に当接するようにピン７を立て、ばね６で開放付勢された把杆１，２が一定の範囲以上に開かないようにしたり、あるいは図３並びに図４に示すように、一方の把杆１の外側に、他方の把杆２の刃部２ａの後側（図３、図４において右側）に当接するプレート８をねじ９で固定し、同様に把杆１，２が一定の範囲以上に開かないようにしていた。
【０００５】
なお、上記プレート８は、その取付位置の調節が行えるように、ねじ９が挿通する個所が長孔に形成されている。
【０００６】
【考案が解決しようとする課題】
上述した従来のもののうち、図２に示したピンを立てる方式のものは、一度ピンを取り付け、刃部の開き寸法を設定すると、その後、開き寸法の調節が行えないという問題点があった。
【０００７】
また、図３並びに図４に示したプレートを用いたものは、固定用のねじが挿通した長孔に沿ってプレートを移動させることにより、刃部の開き寸法の調節が可能であるが、使用に伴ってプレートが曲がったり、ねじが緩んだりするおそれがあり、このことで刃部の開き寸法に狂いが生じるという問題点があった。
【０００８】
本考案は、上記従来の手動切断工具が有していた問題点の解決を課題とするものである。
【０００９】
【課題を解決するための手段】
上記の問題点を解決するために本考案のうち、請求項１記載の考案は、先端に刃部が設けられた一対の把杆を前記刃部が開閉されるように枢着し、両把杆間に刃部が開放される方向に付勢するばねを介在させた手動切断工具において、上記両把杆の枢支点の近傍に、一端が一方の把杆に固定され、他端が他方の把杆を貫通したねじ軸を設け、このねじ軸の把杆を貫通した個所に螺合したナットで把杆の戻り位置を規制し、このことで、刃部の開き寸法の調整が行えるようにしたことを特徴とする。
【００１０】
請求項２記載の考案は、先端に刃部が設けられた一対の把杆を前記刃部が開閉されるように枢着し、両把杆間に刃部が開放される方向に付勢するコイルばねを介在させた手動切断工具において、上記コイルばねの中心を貫通するように、一端が一方の把杆に固定され、他端が他方の把杆を貫通したねじ軸を設け、このねじ軸の把杆を貫通した個所に螺合したナットで把杆の戻り位置を規制し、このことで、刃部の開き寸法の調整が行えるようにしたことを特徴とする。
【００１１】
【考案の実施の形態】
以下、本考案を図示した実施の形態に基づき詳細に説明する。
【００１２】
なお、図において、従来例に示したものと、同一の個所には同一の符号を附している。
【００１３】
図１は、本考案の手動切断工具をニッパを例に示した平面図である。図示したように、この手動切断工具は、従来のものと同様に、先端に刃部１ａ，２ａが設けられた一対の把杆１，２をＸ字形に交差させ、前記刃部１ａ，２ａが開閉されるように、この交差部分を枢支点３として回動可能に連結したものである。また、この枢支点３の後方（図１において下方）の対向した把杆１，２の間には、該把杆１，２を互いに離れる方向に付勢するように、ばね６が設けられた点も従来のものと同じである。よって、一対の把杆１，２を互いに接近するように、ばね６の付勢力に抗して握持すれば、この把杆１，２の他方側の刃部１ａ，２ａが互いに接近する方向に駆動され、この刃部１ａ，２ａ間に位置した対象物（図示せず）が切断され、握持力を緩めると、ばね６の弾性復帰力により、向き合った刃部１ａ，２ａと、向き合った把杆１，２が互いに離れる方向に移動し、原状に復帰するようになっている。
【００１４】
ここにおいて本考案の手動切断工具では、枢支点３の後側（図１において下側）に、一端が一方の把杆２に連結され、他端が他方の把杆１を貫通するようにねじ軸４を設け、このねじ軸４の把杆１を貫通した個所にナット５を螺合させている。
【００１５】
なお、このねじ軸４は、勝手に回転しないように、一方の把杆２に一体的に固定されており、他方の把杆１とは、その把杆１の回動動作を妨げないように、長孔状に形成された挿通孔１０を貫通し、取り付けられている。
【００１６】
したがって、本考案の手動切断工具では、ばね６で開く方向に付勢された一対の把杆１，２は、把杆１の外側面が、把杆２に連結されたねじ軸４に螺合したナット５と当接することにより、それ以上開く方向に移動することが阻止される。よって、この把杆１，２の枢支点３の他方側に設けられた刃部１ａ，２ａの開き寸法も、このナット５の位置で規制されることとなる。このように本考案の手動切断工具では、ナット５の位置で刃部１ａ，２ａの回動範囲が決定されるので、ナット５をねじ軸４に沿って螺進退させれば、ばね６で先端（図１において上端）が開放される方向に復帰する刃部１ａ，２ａの開き寸法を任意に調整することができるものである。
【００１７】
よって、作業に応じた寸法に刃部１ａ，２ａの開き具合を調整することができ、このようにすれば、無駄な動きが少なくなり、作業能率が向上すると共に、作業員の疲労も少なくなる。
【００１８】
なお、図示した実施の形態では、ばね６としてコイルばねを例示したが、このばね６は、回動可能に枢着された一対の把杆１，２を、その握持部分を離れる方向に付勢するものであれば良く、例えば、キックばねのようなものであっても良い。
【００１９】
また、図示した実施の形態では、ばね６とねじ軸４を把杆１，２の異なる位置に取り付けた例を示したが、このばね６の中心部分をねじ軸４が挿通するように、両者を同軸上に設けても良く、このようにすれば、ばね６が不用意に脱落するおそれがなくなると共に、その取付部分を別々に加工する手間も削減されることとなる。
【００２０】
【考案の効果】
以上説明したように本考案のうち、請求項１記載の考案は、回動開閉自在に連結された一対の把杆の枢支点の近傍に、一端が一方の把杆に固定され、他端が他方の把杆を貫通したねじ軸を設け、このねじ軸の貫通した個所に把杆の戻り位置を規制するナットを螺合させたので、このナットをねじ軸に沿って螺進退させることにより、刃部の復帰時の開き寸法を任意に調整することができる。よって、作業の内容に応じて使い易いように手動切断装置を適合させることができ、無駄な動きがなくなり、作業能率の向上がはかられると共に、作業者の負担も軽減されるという効果がある。
【００２１】
請求項２記載の考案は、刃部を開放する方向に付勢するコイルばねと、刃部の開放位置を規制するねじ軸を、同軸上に配置することとしたので、ばねがねじ軸で保持され、不用意に脱落するおそれがなくなると共に、ばねとねじ軸の取付部分を別々に加工する手間も削減されるという効果がある。
【図面の簡単な説明】
【図１】本考案に係る手動切断工具の実施形態を示した平面図である。
【図２】手動切断工具の従来例を示した要部平面図である。
【図３】手動切断工具の他の従来例を示した要部平面図である。
【図４】図３に示した手動切断工具の上面図である。
【符号の説明】
１，２　把杆
１ａ，２ａ　刃部
３　枢支点
４　ねじ軸
５　ナット
６　ばね
【図１】
0003098769.tif 000003
【図２】
0003098769.tif 000004
【図３】
0003098769.tif 000005
【図４】
0003098769.tif 000006